(57)【要約】    【課題】  複雑な設定操作を行うことなく、効果的な自動再生を行うことができる画像処理装置を提供する。    【解決手段】  トリミング情報を利用した自動再生を行う場合、まず対応するファイル番号の全体画像４０１が表示され（ステップＳ２０２）、この画像４０１に対してトリミング情報が設定されている場合（ステップＳ２０３）、このトリミング情報により規定される領域内の画像すなわちトリミング枠内の画像が拡大されて画像４０２として表示される（ステップＳ２０４）。【選択図】      図４
2005176136.tif 000002
【特許請求の範囲】
【請求項１】
画像を撮像して記録媒体へ記録する記録機能と、前記記録媒体に記録された画像を読み出して自動的に再生する自動再生機能とを有する画像処理装置であって、
前記記録媒体に記録された画像に対してその一部分を切り出すためのトリミング情報を該画像と対応付けて設定するトリミング情報設定手段と、
前記自動再生機能により前記記録媒体に記録された画像を再生する際に、前記記録媒体から読み出された画像毎にトリミング情報が設定されているか否かに応じてその画像の表示を制御する表示制御手段と
を備えることを特徴とする画像処理装置。
【請求項２】
前記表示制御手段は、前記トリミング情報が設定されている画像に対しては、該トリミング情報により切り出される画像の一部分のみを表示するように制御することを特徴とする請求項１記載の画像処理装置。
【請求項３】
前記表示制御手段は、前記トリミング情報が設定されている画像に対しては、該トリミング情報により切り出される画像の一部分のみを拡大して表示するように制御することを特徴とする請求項１記載の画像処理装置。
【請求項４】
前記表示制御手段は、前記トリミング情報が設定されている画像に対しては、該画像の全体を表示した後に、前記トリミング情報により切り出される画像の一部分のみを拡大して表示するように制御することを特徴とする請求項１記載の画像処理装置。
【請求項５】
前記表示制御手段は、前記トリミング情報が設定されている画像に対しては、該画像の全体と前記トリミング情報により切り出される画像の一部分の領域を表す枠とを重ね合わせて表示した後に、該トリミング情報により切り出される画像の一部分のみを拡大して表示するように制御することを特徴とする請求項１記載の画像処理装置。
【請求項６】
前記表示制御手段は、前記トリミング情報が設定されている画像のみの表示を行うように制御することを特徴とする請求項１ないし５のいずれか１つに記載の画像処理装置。
【請求項７】
画像を撮像して記録媒体へ記録する記録機能と、前記記録媒体に記録された画像を読み出して自動的に再生する自動再生機能とを有する画像処理装置の画像再生方法であって、
前記記録媒体に記録された画像に対してその一部分を切り出すためのトリミング情報を該画像と対応付けて設定するトリミング情報設定工程と、
前記自動再生機能により前記記録媒体に記録された画像を再生する際に、前記記録媒体から読み出された画像毎にトリミング情報が設定されているか否かに応じてその画像の表示を制御する表示制御工程と
を備えることを特徴とする画像再生方法。
【請求項８】
前記表示制御工程では、前記トリミング情報が設定されている画像に対しては、該トリミング情報により切り出される画像の一部分のみを表示するように制御することを特徴とする請求項７記載の画像再生方法。
【請求項９】
前記表示制御工程では、前記トリミング情報が設定されている画像に対しては、該トリミング情報により切り出される画像の一部分のみを拡大して表示するように制御することを特徴とする請求項７記載の画像再生方法。
【請求項１０】
前記表示制御工程では、前記トリミング情報が設定されている画像に対しては、該画像の全体を表示した後に、前記トリミング情報により切り出される画像の一部分のみを拡大して表示するように制御することを特徴とする請求項７記載の画像再生方法。
【請求項１１】
前記表示制御工程では、前記トリミング情報が設定されている画像に対しては、該画像の全体と前記トリミング情報により切り出される画像の一部分の領域を表す枠とを重ね合わせて表示した後に、該トリミング情報により切り出される画像の一部分のみを拡大して表示するように制御することを特徴とする請求項７記載の画像再生方法。
【請求項１２】
前記表示制御工程では、前記トリミング情報が設定されている画像のみの表示を行うように制御することを特徴とする請求項７ないし１１のいずれか１つに記載の画像再生方法。
【請求項１３】
画像を撮像して記録媒体へ記録する記録機能と、前記記録媒体に記録された画像を読み出して自動的に再生する自動再生機能とを有する画像処理装置を制御するためのプログラムであって、
前記記録媒体に記録された画像に対してその一部分を切り出すためのトリミング情報を該画像と対応付けて設定するトリミング情報設定モジュールと、
前記自動再生機能により前記記録媒体に記録された画像を再生する際に、前記記録媒体から読み出された画像毎にトリミング情報が設定されているか否かに応じてその画像の表示を制御する表示制御モジュールと
を有することを特徴とするプログラム。
【請求項１４】
請求項１３記載のプログラムをコンピュータ読取可能に格納したことを特徴とする記憶媒体。
【発明の詳細な説明】
【技術分野】
【０００１】
本発明は、画像を撮像して記録媒体へ記録する記録機能と、前記記録媒体に記録された画像を順に読み出して自動的に再生する自動再生機能とを有する画像処理装置、その画像再生方法、プログラムおよび記憶媒体に関する。
【背景技術】
【０００２】
固体メモリ素子を有するメモリカードなどを記録媒体として、静止画像や動画像を記録媒体に記録し、再生する電子カメラなどの画像処理装置が市販されている。また、カラー液晶パネルなどの電子ファインダーを備える電子カメラも登場している。
【０００３】
このような電子カメラには、撮影前の画像を連続して表示して電子カメラの使用者が構図を決定することや、撮影した画像を再生表示して確認するための機能が設けられている。特に、撮影した画像を撮影直後に再生する機能は、利便性が高く、電子カメラの使用者にとっては有益な機能である。
【０００４】
他方、パーソナルコンピュータを使用せずに、デジタルカメラにプリンタを接続し、デジタルカメラで撮影した画像をプリンタに送信して直接印刷することが可能な機能を搭載したものも提供されている。
【０００５】
また、デジタルカメラで撮影され記録媒体に記録された複数の静止画の自動またはマニュアル再生を行う再生機能が知られている。ここで、自動再生機能は、予め設定された再生順序や画像表示の際の画面効果などに従い画像を再生することが可能である。
【０００６】
また、画像再生装置において、表示された画像に対して処理のエリア内においてトリミング表示を可能とする技術が提案されている（例えば特許文献１を参照）。
【特許文献１】特開平８−１１０５７８号公報
【発明の開示】
【発明が解決しようとする課題】
【０００７】
しかしながら、デジタルカメラが内蔵する液晶パネルや操作ボタンを用いて、再生順序や画面効果などの設定のための編集操作を行うことは、ユーザにとっては、非常に煩雑である。
【０００８】
本発明の目的は、複雑な設定操作を行うことなく、効果的な自動再生を行うことができる画像処理装置、画像再生方法、プログラムおよび記憶媒体を提供することにある。
【課題を解決するための手段】
【０００９】
本発明は、上記目的を達成するため、画像を撮像して記録媒体へ記録する記録機能と、前記記録媒体に記録された画像を読み出して自動的に再生する自動再生機能とを有する画像処理装置であって、前記記録媒体に記録された画像に対してその一部分を切り出すためのトリミング情報を該画像と対応付けて設定するトリミング情報設定手段と、前記自動再生機能により前記記録媒体に記録された画像を再生する際に、前記記録媒体から読み出された画像毎にトリミング情報が設定されているか否かに応じてその画像の表示を制御する表示制御手段とを備えることを特徴とする。
【００１０】
本発明は、上記目的を達成するため、画像を撮像して記録媒体へ記録する記録機能と、前記記録媒体に記録された画像を読み出して自動的に再生する自動再生機能とを有する画像処理装置の画像再生方法であって、前記記録媒体に記録された画像に対してその一部分を切り出すためのトリミング情報を該画像と対応付けて設定するトリミング情報設定工程と、前記自動再生機能により前記記録媒体に記録された画像を再生する際に、前記記録媒体から読み出された画像毎にトリミング情報が設定されているか否かに応じてその画像の表示を制御する表示制御工程とを備えることを特徴とする。
【００１１】
本発明は、上記目的を達成するため、画像を撮像して記録媒体へ記録する記録機能と、前記記録媒体に記録された画像を読み出して自動的に再生する自動再生機能とを有する画像処理装置を制御するためのプログラムであって、前記制御プログラムは、前記記録媒体に記録された画像に対してその一部分を切り出すためのトリミング情報を該画像と対応付けて設定するトリミング情報設定モジュールと、前記自動再生機能により前記記録媒体に記録された画像を再生する際に、前記記録媒体から読み出された画像毎にトリミング情報が設定されているか否かに応じてその画像の表示を制御する表示制御モジュールとを有することを特徴とする。
【００１２】
本発明は、上記目的を達成するため、プログラムをコンピュータ読取可能に格納したことを特徴とする記憶媒体を提供する。
【発明の効果】
【００１３】
本発明によれば、記録媒体に記録された画像に対してその一部分を切り出すためのトリミング情報を該画像と対応付けて設定し、自動再生機能により記録媒体に記録された画像を再生する際に、記録媒体から読み出された画像毎にトリミング情報が設定されているか否かに応じてその画像の表示を制御するので、複雑な設定操作を行うことなく、効果的な自動再生を行うことができる。
【発明を実施するための最良の形態】
【００１４】
以下、本発明の実施の形態について図面を参照しながら説明する。
【００１５】
（第１の実施の形態）
図１は本発明の第１の実施の形態に係る画像処理装置の構成を示すブロック図である。
【００１６】
画像処理装置１００は、図１に示すように、撮影レンズ１０、絞り機能を備えるシャッター１２、光学像を電気信号に変換する撮像素子１４、撮像素子１４のアナログ信号出力をディジタル信号に変換するＡ／Ｄ変換器１６、Ｄ／Ａ変換器２６および画像処理回路２０を備える。撮像素子１４、Ａ／Ｄ変換器１６、Ｄ／Ａ変換器２６には、タイミング発生回路１８から、クロック信号やタイミング信号が供給され、タイミング発生回路１８の動作は、メモリ制御回路２２およびシステム制御回路５０により制御される。
【００１７】
画像処理回路２０は、Ａ／Ｄ変換器１６からのデータまたはメモリ制御回路２２からのデータに対して所定の画素補間処理や色変換処理を行う。また、画像処理回路２０は、撮像した画像データを用いて所定の演算処理を行い、この演算処理により得られた結果に基づいてシステム制御回路５０が露光制御手段４０、測距制御手段４２に対して制御を行う、ＴＴＬ（スルーザレンズ）方式のＡＦ（オートフォーカス）処理、ＡＥ（自動露出）処理、ＥＦ（フラッシュプリ発光）処理を行う。さらに、画像処理回路２０は、撮像した画像データを用いて所定の演算処理を行い、得られた演算結果に基づいてＴＴＬ方式のＡＷＢ（オートホワイトバランス）処理を行う。
【００１８】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６からのデータが、画像処理回路２０、メモリ制御回路２２を介して、またはＡ／Ｄ変換器１６からのデータが直接メモリ制御回路２２を介して、画像表示メモリ２４またはメモリ３０に書き込まれる。
【００１９】
画像表示メモリ２４に書き込まれた表示用の画像データは、Ｄ／Ａ変換器２６を介して画像表示部２８により表示される。画像表示部２８は、ＴＦＴ方式の液晶表示装置からなる。画像表示部２８を用いて撮像した画像データを逐次表示すれば、電子ファインダー機能を実現することが可能である。また、画像表示部２８は、システム制御回路５０の指示により任意に表示をオン／オフすることが可能であり、表示をオフにした場合には画像処理装置１００の電力消費を大幅に低減することができる。
【００２０】
メモリ３０は、撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０は、システム制御回路５０の作業領域を提供する。
【００２１】
圧縮・伸長回路３２は、適応離散コサイン変換（ＡＤＣＴ）などにより画像データを圧縮または伸長する回路であり、メモリ３０に格納された画像を読み込んで圧縮処理または伸長処理を行う。この圧縮または伸長処理後のデータは、メモリ３０に書き込まれる。
【００２２】
シャッター１２は、露光制御手段４０により制御される。露光制御手段４０は、フラッシュ４８と連携させるフラッシュ調光機能を有する。ここで、フラッシュ４８は、ＡＦ補助光の投光機能、フラッシュ調光機能を有する。撮影レンズ１０のフォーカシングは、測距制御手段４２により制御される。撮影レンズ１０のズーミングは、ズーム制御手段４４により制御される。また、撮影レンズ１０は、バリアである保護手段１０２により保護され、この保護手段１０２の動作は、バリア制御手段４６により制御される。
【００２３】
また、露光制御手段４０、測距制御手段４２は、ＴＴＬ方式を用いて制御されており、システム制御回路５０は、画像処理回路２０により撮像した画像データを演算した結果に基づいて露光制御手段４０、測距制御手段４２に対して制御を行う。システム制御回路５０は、メモリ５２に格納されている動作用の定数、変数、プログラムなどに基づいて画像処理装置１００全体を制御する。
【００２４】
システム制御回路５０によるプログラムの実行に応じて、文字、画像、音声などを用いて動作状態やメッセージなどが、表示部５４に表示される。表示部５４は、液晶表示装置、スピーカーなどを含み、これらは、画像処理装置１００の操作部近辺の視認し易い１つまたは複数の位置に設置され、例えばＬＣＤやＬＥＤ、発音素子などの組み合わせにより構成される。また、表示部５４の一部の機能が光学ファインダー１０４内に設置されている。表示部５４の表示内容のうち、ＬＣＤなどに表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００および２１０の着脱状態表示、通信Ｉ／Ｆ動作表示、日付け・時刻表示などがある。また、表示部５４の表示内容のうち、光学ファインダー１０４内に表示するものとしては、合焦表示、手振れ警告表示、フラッシュ充電表示、シャッタースピード表示、絞り値表示、露出補正表示などがある。
【００２５】
システム制御回路５０には、電気的に消去・記録可能な例えばＥＥＰＲＯＭからなる不揮発性メモリ５６、システム制御回路５０の各種の動作指示を入力するための複数の操作手段、電源制御手段８０、記録媒体着脱検知手段９８、および通信手段１１０が接続される。
【００２６】
複数の操作手段は、スイッチやダイアル、タッチパネル、視線検知によるポインティング、音声認識装置などの単数または複数の組み合わせで構成される。複数の操作手段としては、モードダイアルスイッチ６０、シャッタースイッチ（ＳＷ１）６２、シャッタースイッチ（ＳＷ２）６４、画像表示ON/OFFスイッチ６６、クイックレビューON/OFFスイッチ６８、操作部７０などがある。
【００２７】
モードダイアルスイッチ６０は、電源オフ、自動撮影モード、撮影モード、パノラマ撮影モード、再生モード、マルチ画面再生・消去モード、ＰＣ接続モードなどの各機能モードを切り替え設定するためのスイッチである。シャッタースイッチ（ＳＷ１）６２は、シャッターボタン（図示せず）の操作途中でオンとなり、ＡＦ（オートフォーカス）処理、ＡＥ（自動露出）処理、ＡＷＢ（オートホワイトバランス）処理、ＥＦ（フラッシュプリ発光）処理などの動作開始を指示する。シャッタースイッチ（ＳＷ２）６４は、上記シャッターボタンの操作完了でオンとなり、撮像素子１４から読み出された信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００または２１０に画像データを書き込む記録処理という一連の処理の動作開始を指示する。
【００２８】
画像表示ON/OFFスイッチ６６は、画像表示部２８のオン／オフを設定するためのスイッチである。光学ファインダー１０４を用いて撮影を行う際に、この画像表示ON/OFFスイッチ６６により画像表示部２８への電流供給を遮断すれば、省電力を図ることが可能となる。クイックレビューON/OFFスイッチ６８は、撮影直後に撮影した画像データを自動再生するクイックレビュー機能を設定するためのスイッチである。なお、本実施の形態では、特に、画像表示部２８をオフとした場合におけるクイックレビュー機能の設定をする機能を備えるものとする。
【００２９】
操作部７０は、各種ボタンやタッチパネル等からなり、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタンなどを含む。
【００３０】
電源制御手段８０は、電池検出回路、DC-DCコンバータ、通電するブロックを切り替えるスイッチ回路などから構成されており、電池の装着の有無、電池の種類、電池残量の検出を行い、検出結果およびシステム制御回路５０の指示に基づいてDC-DCコンバータを制御し、必要な電圧を必要な期間、記録媒体を含む各ブロックへ供給する。電源制御手段８０には、コネクタ８２，８４を介して電源８６から電力が供給される。電源８６は、アルカリ電池やリチウム電池などの一次電池、NiCd電池、NiMH電池、Li電池などの二次電池、またはＡＣアダプターなどからなる。
【００３１】
記録媒体着脱検知手段９８は、各コネクタ９２，９６に対応する記録媒体２００，２１０が装着されているか否かを検知するための手段である。各コネクタ９２，９６は、対応するＩ／Ｆ（インタフェース）９０，９４に接続される。記録媒体２００，２１０は、それぞれ、メモリカードやハードディスクなどの記録媒体からなり、記録部２０２，２１２と、Ｉ／Ｆ２０４，２１４と、コネクタ２０６，２１６とを含む。コネクタ２０６はコネクタ９２に、コネクタ２１６はコネクタ９６にそれぞれ接続されるものである。
【００３２】
なお、本実施の形態においては、記録媒体を装着するためのインタフェースおよびコネクタが２系統設けられているが、この数はこれに限定されるものではなく、任意の数とすることができる。また、上記インタフェースおよびコネクタは、同一の規格のものであってもよいし、異なる規格のものであってもよい。インタフェースおよびコネクタは、ＰＣＭＣＩＡカードやＣＦ（コンパクトフラッシュ（登録商標））カードなどの規格に準拠したものを用いて構成してもよい。さらに、インタフェース９０，９４およびコネクタ９２，９６をＰＣＭＣＩＡカードやＣＦ（コンパクトフラッシュ（登録商標））カードなどの規格に準拠したものを用いて構成した場合、LANカードやモデムカード、USBカード、IEEE1394カード、P1284カード、SCSIカード、PHSなどの通信カードの各種通信カードを接続することにより、他のコンピュータやプリンタなどの周辺機器との間で画像データや画像データに付属した管理情報を転送し合うことができる。
【００３３】
通信手段１１０は、RS232C、USB、IEEE1394、P1284、SCSI、モデム、ＬＡＮ、無線通信などの各種の通信機能を有する。通信手段１１０には、画像処理装置１００を他の機器例えばプリンタと接続するためのコネクタ１１２が設けられている。また、無線通信の場合は、コネクタ１１２に代えてアンテナが設けられることになる。
【００３４】
本実施の形態の画像処理装置１００は、通信手段１００を介してプリンタを接続し、画像処理装置１００で撮影した画像をプリンタに送信して直接印刷することが可能な機能を有する。ここで、当然のことながら、上記機能を達成するためには、画像処理装置１００に接続されるプリンタには、上記機能に対応する機能が搭載されている。画像処理装置１００の上記機能には、印刷する画像に対して、その一部を切り出して印刷するためのトリミング情報を設定する機能が含まれている。このトリミング情報の設定は、画像表示部２８に対応する画像を表示しながら、画像操作部７０に設けられているキーを操作することによって、表示されている画像に対してその一部を切り出すためのトリミング情報を設定することができる。このトリミング情報が設定されると、設定されたトリミング情報は対応する画像と対応付けて記録媒体２００または２１０に格納される。
【００３５】
本実施の形態の画像処理装置１００においては、記録媒体２００または２１０に記録された画像を読み出して自動的に再生する自動再生機能が設けられており、自動再生機能により記録媒体２００または２１０に記録された画像を再生する際に、記録媒体２００または２１０から読み出された画像毎にトリミング情報が設定されているか否かに応じてその画像の表示を制御する。
【００３６】
次に、本実施の形態におけるトリミング情報を利用した自動再生について図２〜図４を参照しながら説明する。図２は図１の画像処理装置１００におけるトリミング情報を利用した自動再生の手順を示すフローチャート、図３はトリミング情報を利用した自動再生を行うか否かの設定画面の一例を示す図、図４は図２の自動再生におけるトリミング情報を利用したトリミング枠内表示の一例を示す図である。ここで、図２に示す手順は、システム制御回路５０によりメモリ５２に格納されているプログラムに基づいて実行されるものである。
【００３７】
トリミング情報を利用した自動再生を行うか否かの設定には、図３に示す設定画面３０１が用いられる。この設定画面３０１には、上記トリミング情報を利用した自動再生を行うか否かの設定項目（トリミング枠内表示）３０２と、上記トリミング情報を利用した自動再生を行うことを設定するためのＯＮボタン３０３と、この自動再生を解除設定するためのＯＦＦボタン３０４とが表示される。この設定画面３０１を用いてユーザは、上記トリミング情報を利用した自動再生を行うか否かの設定を行うことができる。
【００３８】
次に、上記設定画面３０１上でトリミング情報を利用した自動再生を行うことが設定されている場合の再生動作について説明する。トリミング情報を利用した自動再生を行う場合、図２に示すように、システム制御回路５０は、まずステップＳ２０１において、処理対象の画像を１番目すなわちそのファイル番号ｎを１にセットし、続くステップＳ２０２で、ファイル番号ｎの画像を表示する。そして、システム制御回路５０は、ステップＳ２０３において、処理対象の画像にトリミング情報が設定されているか否かを判定する。ここで、トリミング情報が設定されている場合、システム制御回路５０は、ステップＳ２０４において、現在の処理対象の画像に対して設定されているトリミング情報により規定される領域内の画像すなわちトリミング枠内の画像を拡大して表示し、処理をステップＳ２０５に進める。これに対して、トリミング情報の設定が行われていない場合、システム制御回路５０は、ステップＳ２０４をスキップして処理をステップＳ２０５に進める。
【００３９】
ステップＳ２０５において、システム制御回路５０は、全ての画像に対して上記処理が終了したか否かを判定し、全ての画像に対して上記処理が終了している場合、本処理を終了する。これに対して、全ての画像に対して上記処理が終了していない場合、システム制御回路５０は、ステップＳ２０６において、次のファイル番号の画像を表示するために、ファイル番号ｎを１インクリメントし、ステップＳ２０２で、ファイル番号ｎの画像を表示する。
【００４０】
上記自動再生においては、例えば図４に示すように、まず対応するファイル番号の全体画像４０１が表示され（ステップＳ２０２）、この画像４０１に対してトリミング情報がある場合（ステップＳ２０３）、このトリミング情報により規定される領域内の画像すなわちトリミング枠内の画像が拡大されて画像４０２として表示される（ステップＳ２０４）。
【００４１】
このように、本実施の形態によれば、自動再生の際に、トリミング情報が設定されている画像に対しては、このトリミング情報により規定される領域内の画像すなわちトリミング枠内の画像が拡大されて表示されるので、複雑な設定操作を行うことなく、効果的な自動再生を行うことができる。
【００４２】
（第２の実施の形態）
次に、本発明の第２の実施の形態について図５〜図７を参照しながら説明する。図５は本発明の第２の実施の形態に係る画像処理装置におけるトリミング情報を利用した自動再生の手順を示すフローチャート、図６は図５のトリミング情報を利用した自動再生を行うか否かの設定画面の一例を示す図、図７は図５の自動再生におけるトリミング情報を利用したトリミング枠内表示の一例を示す図である。ここで、本実施の形態の構成は、上記第１の実施の形態と同じ構成を有し、ここでは、その説明は省略する。また、図５に示す手順は、システム制御回路５０により実行されるものである。
【００４３】
本実施の形態は、上記第１の実施の形態に対して、トリミング枠内表示に対して、設定されているトリミング枠を表示するか否かの設定、およびトリミング枠内の画像を拡大表示する際のアニメーション表示を行うか否かの設定を行うことができる点で異なる。
【００４４】
本実施の形態において、トリミング情報を利用した自動再生を行うか否かの設定には、図６に示す設定画面６０１が用いられる。この設定画面６０１には、上記トリミング情報を利用した自動再生を行うか否かの設定項目（トリミング枠内表示）６０２と、トリミング枠を表示するか否かの設定項目（トリミング枠上表示）６０５と、トリミング枠内の画像を拡大表示する際のアニメーション表示を行うか否かの設定項目（拡大アニメーション表示）６０６とが表示される。ここで、上記トリミング情報を利用した自動再生を行うことを設定するには、ＯＮボタン６０３が選択され、この自動再生を解除設定するには、ＯＦＦボタン６０４が選択される。また、上記トリミング情報を利用した自動再生を行うことが設定された場合、上記設定項目６０５および６０６に対する設定を行うことができ、上記トリミング情報を利用した自動再生を行うことが解除設定されている場合は、上記設定項目６０５および６０６に対する設定を行うことができない。
【００４５】
トリミング情報を利用した自動再生を行う場合、図５に示すように、システム制御回路５０は、まずステップＳ５０１において、処理対象の画像を１番目すなわちファイル番号ｎを１にセットし、続くステップＳ５０２で、ファイル番号ｎの画像を表示する。そして、システム制御回路５０は、ステップＳ５０３において、処理対象の画像にトリミング情報が設定されているか否かを判定する。ここで、トリミング情報が設定されている場合、システム制御回路５０は、ステップＳ５０４において、トリミング枠を表示する枠表示設定がオンか否かを判定する。枠表示設定がオンされていれば、システム制御回路５０は、ステップＳ５０５において、表示されている元画像上にトリミング枠を重ねて表示し、そして処理をステップＳ５０６へ進める。これに対して、枠表示設定がオンでない場合、システム制御回路５０は、ステップＳ５０５をスキップして処理をステップＳ５０６へ進める。
【００４６】
ステップＳ５０６において、システム制御回路５０は、トリミング枠内の画像を拡大して表示する際にアニメーション表示を行う拡大アニメーション設定がオンか否かを判定する。ここで、拡大アニメーション設定がオンである場合、システム制御回路５０は、ステップＳ５０７において、トリミング枠内の画像を拡大して表示する際の補完画像をアニメーション表示し、処理をステップＳ５０９に進める。これに対して、拡大アニメーション設定がオンでない場合、ステップＳ５０７をスキップして処理をステップＳ５０９に進める。
【００４７】
ステップＳ５０９において、システム制御回路５０は、トリミング枠内の画像を拡大して表示する。そして、システム制御回路５０は、ステップＳ５１０において、全ての画像に対して上記処理が終了したか否かを判定し、全ての画像に対して上記処理が終了している場合、本処理を終了する。これに対して、全ての画像に対して上記処理が終了していない場合、システム制御回路５０は、ステップＳ５１１において、次のファイル番号の画像を表示するために、ファイル番号ｎを１インクリメントし、ステップＳ５０２で、ファイル番号ｎの画像を表示する。
【００４８】
上記ステップＳ５０３においてトリミング情報が設定されていないと判定された場合、システム制御回路５０は、ステップＳ５１０において、全ての画像に対して上記処理が終了したか否かを判定し、全ての画像に対して上記処理が終了している場合、本処理を終了する。これに対して、全ての画像に対して上記処理が終了していない場合、システム制御回路５０は、ステップＳ５１１において、次のファイル番号の画像を表示するために、ファイル番号ｎを１インクリメントし、ステップＳ５０２で、ファイル番号ｎの画像を表示する。
【００４９】
上記自動再生においては、例えば図７に示すように、まず対応するファイル番号の全体画像７０１が表示され（ステップＳ５０２）、この画像７０１に対してトリミング情報があり、トリミング枠を表示する枠表示設定がオンである場合（ステップＳ５０３，ステップＳ５０４）、画像７０１に対して、トリミング情報により規定される領域を示すトリミング枠７０２が重ね合わされて表示される（ステップＳ５０５）。そして、拡大アニメーション設定がオンであると（ステップＳ５０６）、トリミング枠内の画像を拡大して表示する際の補完画像がアニメーション画像７０３として表示された（ステップＳ５０７）後に、トリミング枠内の画像が拡大されて画像７０４として表示される（ステップＳ５０９）。
【００５０】
なお、図７に示すアニメーション表示は一例であり、特にこれに限定されることものでない。また、上記アニメーション表示に代えて、その他の特殊効果を用いてトリミング枠内の画像を拡大表示する過程を表すようにしてもよい。
【００５１】
（第３の実施の形態）
次に、本発明の第３の実施の形態について図８および図９を参照しながら説明する。図８は本発明の第３の実施の形態に係る画像処理装置におけるトリミング情報を利用した自動再生の手順を示すフローチャート、図９は図８の自動再生によるトリミング情報が付加された画像の例とその再生画像とを示す図である。ここで、本実施の形態の構成は、上記第１の実施の形態と同じ構成を有し、ここでは、その説明は省略する。また、図８に示す手順は、システム制御回路５０により実行されるものである。
【００５２】
本実施の形態は、上記第１の実施の形態に対し、トリミング情報が付加されている画像のみを表示する点で異なる。すなわち、トリミング情報が付加されていない画像の表示は行われず、トリミング情報が付加されている画像のみの表示が行われ、このトリミング情報が付加されている画像に対しては、トリミング枠内の画像が拡大されて表示される。
【００５３】
トリミング情報を利用した自動再生を行う場合、図８に示すように、システム制御回路５０は、まずステップＳ８０１において、処理対象の画像を１番目すなわちそのファイル番号ｎを１にセットし、続くステップＳ８０２において、処理対象の画像にトリミング情報が設定されているか否かを判定する。ここで、トリミング情報が設定されている場合、システム制御回路５０は、ステップＳ８０３において、現在の処理対象の画像に対して設定されているトリミング情報により規定される領域内すなわちトリミング枠内の画像を拡大して表示し、処理をステップＳ８０４に進める。これに対して、トリミング情報が設定されていない場合、システム制御回路５０は、ステップＳ８０３をスキップして処理をステップＳ８０４に進める。
【００５４】
ステップＳ８０４において、システム制御回路５０は、全ての画像に対して上記処理が終了したか否かを判定し、全ての画像に対して上記処理が終了している場合、本処理を終了する。これに対して、全ての画像に対して上記処理が終了していない場合、システム制御回路５０は、ステップＳ８０５において、次のファイル番号の画像を表示するために、ファイル番号ｎを１インクリメントし、ステップＳ８０２からの処理を繰り返す。
【００５５】
上記自動再生においては、例えば図９に示すように、まず対応するファイル番号の画像９０１に対してトリミング情報９０２（図９（ａ）を参照）がある場合（ステップＳ８０２）、このトリミング情報により規定される領域内の画像すなわちトリミング枠内の画像が拡大されて画像９０５（図９（ｂ）を参照）として表示される（ステップＳ８０３）。そして、次のファイル番号の画像９０３に対して処理が移行し、画像９０３に対してトリミング情報９０４（図９（ａ）を参照）がある場合（ステップＳ８０２）、このトリミング情報により規定される領域内の画像すなわちトリミング枠内の画像が拡大されて画像９０６（図９（ｂ）を参照）として表示される（ステップＳ８０３）。
【００５６】
なお、本発明の目的は、前述した各実施の形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【００５７】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはいうまでもない。
【図面の簡単な説明】
【００５８】
【図１】本発明の第１の実施の形態に係る画像処理装置の構成を示すブロック図である。
【図２】図１の画像処理装置１００におけるトリミング情報を利用した自動再生の手順を示すフローチャートである。
【図３】トリミング情報を利用した自動再生を行うか否かの設定画面の一例を示す図である。
【図４】図２の自動再生におけるトリミング情報を利用したトリミング枠内表示の一例を示す図である。
【図５】本発明の第２の実施の形態に係る画像処理装置におけるトリミング情報を利用した自動再生の手順を示すフローチャートである。
【図６】図５のトリミング情報を利用した自動再生を行うか否かの設定画面の一例を示す図である。
【図７】図５の自動再生におけるトリミング情報を利用したトリミング枠内表示の一例を示す図である。
【図８】本発明の第３の実施の形態に係る画像処理装置におけるトリミング情報を利用した自動再生の手順を示すフローチャートである。
【図９】図８の自動再生によるトリミング情報が付加された画像の例とその再生画像とを示す図である。
【符号の説明】
【００５９】
１４  撮像素子
２８  画像表示部
５０  システム制御回路
５２  メモリ
１００  画像処理装置
２００，２１０  記録媒体
【図１】
2005176136.tif 000003
【図２】
2005176136.tif 000004
【図３】
2005176136.tif 000005
【図４】
2005176136.tif 000006
【図５】
2005176136.tif 000007
【図６】
2005176136.tif 000008
【図７】
2005176136.tif 000009
【図８】
2005176136.tif 000010
【図９】
2005176136.tif 000011